(57)【要約】【課題】複数人で利用する場合であっても、セキュリティ性を保ちつつ利便性を向上させることができる。【解決手段】管理システムは、操作者を特定する識別情報と、識別情報が読み取り範囲内にあることを非接触で検出する検出手段と、識別情報に基づいて操作者のログイン処理を行うログイン手段と、ログインした操作者の識別情報が検出されなくなると、操作者のログアウト処理を行う第１のログアウト手段と、ログインした操作者の識別情報が検出されたまま操作者のログアウト処理を行う第２のログアウト手段と、を備える。【選択図】図１
2018092500.tif 000002
【特許請求の範囲】
【請求項１】
操作者を特定する識別情報と、
前記識別情報が読み取り範囲内にあることを非接触で検出する検出手段と、
前記識別情報に基づいて前記操作者のログイン処理を行うログイン手段と、
前記ログインした前記操作者の前記識別情報が検出されなくなると、前記操作者のログアウト処理を行う第１のログアウト手段と、
前記ログインした前記操作者の前記識別情報が検出されたまま前記操作者のログアウト処理を行う第２のログアウト手段と、
を備えることを特徴とする管理システム。
【請求項２】
前記検出手段が複数の識別情報を検出すると、前記ログイン手段によるログイン処理を禁止する第１の禁止手段、
を備えることを特徴とする請求項１に記載の管理システム。
【請求項３】
前記第２のログアウト手段によるログアウト処理後は、当該ログアウト処理を行った前記操作者の前記ログイン手段によるログイン処理を禁止する第２の禁止手段を備える
ことを特徴とする請求項２に記載の管理システム。
【請求項４】
前記第１の禁止手段もしくは前記第２の禁止手段は、所定の操作の際に、前記ログイン手段によるログイン処理を禁止する
ことを特徴とする請求項２または請求項３に記載の管理システム。
【請求項５】
前記ログアウト処理の際に、前記検出手段が当該ログアウトする識別情報とは異なる他の識別情報を検出している場合には、前記ログイン手段に前記他の識別情報で特定する操作者のログイン処理を行う交代手段、
を備えることを特徴とする請求項１から請求項４の何れか１項に記載の管理システム。
【請求項６】
前記ログアウト処理後に表示されるログイン前画面と、前記ログイン処理後に表示されるログイン後画面と、を表示する表示手段を備え、
前記表示手段は、前記ログイン後画面において、前記交代処理が行われたことを表示する、
ことを特徴とする請求項５に記載の管理システム。
【請求項７】
前記表示手段は、前記交代処理の際に前記ログイン後画面を維持する、
ことを特徴とする請求項６に記載の管理システム。
【請求項８】
前記検出手段が複数の識別情報を検出すると、
前記表示手段は、当該複数の識別情報を前記ログイン前画面に選択可能に表示する、
ことを特徴とする請求項６または請求項７に記載の管理システム。
【発明の詳細な説明】
【技術分野】
【０００１】
本発明は、管理システムに関する。
【背景技術】
【０００２】
特許文献１には、無線により、操作者が退席したことを検出するパソコン使用者特定システムが記載されている。当該パソコン使用者特定システムでは、ワイヤレスＩＣカードが読み取り器の認識可能範囲を出入りすることに応じたパソコンへのログイン・ログアウトを行っている。
【先行技術文献】
【特許文献】
【０００３】
【特許文献１】特開平０９−１５３０１６号公報
【発明の概要】
【発明が解決しようとする課題】
【０００４】
しかしながら、特許文献１に記載の技術は、複数人で並行利用することを想定したものではなく、例えば、飲食店等において複数の操作者が操作するＰＯＳ端末において使用するには効率的ではないという問題がある。
【０００５】
本発明は、このような事情に鑑みてなされたもので、複数人で利用する場合であっても、セキュリティ性を保ちつつ利便性を向上させることができる管理システムを提供することを目的とする。
【課題を解決するための手段】
【０００６】
上述した課題を解決する本発明の一態様は、操作者を特定する識別情報と、前記識別情報が読み取り範囲内にあることを非接触で検出する検出手段と、前記識別情報に基づいて前記操作者のログイン処理を行うログイン手段と、前記ログインした前記操作者の前記識別情報が検出されなくなると、前記操作者のログアウト処理を行う第１のログアウト手段と、前記ログインした前記操作者の前記識別情報が検出されたまま前記操作者のログアウト処理を行う第２のログアウト手段と、を備えることを特徴とする管理システムである。
【０００７】
また、本発明の一態様は、上記の管理システムにおいて、前記検出手段が複数の識別情報を検出すると、前記ログイン手段によるログイン処理を禁止する第１の禁止手段、を備えることを特徴とする。
【０００８】
また、本発明の一態様は、上記の管理システムにおいて、前記第２のログアウト手段によるログアウト処理後は、当該ログアウト処理を行った前記操作者の前記ログイン手段によるログイン処理を禁止する第２の禁止手段を備えることを特徴とする。
【０００９】
また、本発明の一態様は、上記の管理システムにおいて、前記第１の禁止手段もしくは前記第２の禁止手段は、所定の操作の際に、前記ログイン手段によるログイン処理を禁止することを特徴とする。
【００１０】
また、本発明の一態様は、上記の管理システムにおいて、前記ログアウト処理の際に、前記検出手段が当該ログアウトする識別情報とは異なる他の識別情報を検出している場合には、前記ログイン手段に前記他の識別情報で特定する操作者のログイン処理を行う交代手段、を備えることを特徴とする。
【００１１】
また、本発明の一態様は、上記の管理システムにおいて、前記ログアウト処理後に表示されるログイン前画面と、前記ログイン処理後に表示されるログイン後画面と、を表示する表示手段を備え、前記表示手段は、前記ログイン後画面において、前記交代処理が行われたことを表示する、ことを特徴とする。
【００１２】
また、本発明の一態様は、上記の管理システムにおいて、前記表示手段は、前記交代処理の際に前記ログイン後画面を維持する、ことを特徴とする。
【００１３】
また、本発明の一態様は、上記の管理システムにおいて、前記検出手段が複数の識別情報を検出すると、前記表示手段は、当該複数の識別情報を前記ログイン前画面に選択可能に表示する、ことを特徴とする。
【発明の効果】
【００１４】
本発明によれば、複数人で利用する場合であっても、セキュリティ性を保ちつつ利便性を向上させることができる。
【図面の簡単な説明】
【００１５】
【図１】本発明の実施形態における管理システムの構成を示した概略図である。
【図２】本実施形態におけるＰＯＳ端末の外観例を示す外観構成図である。
【図３】本実施形態におけるＰＯＳ端末のハードウェア構成例を示すブロック図である。
【図４】本実施形態におけるＰＯＳ端末が表示するログイン前画面の一例を示すイメージ図である。
【図５】本実施形態におけるＰＯＳ端末が表示するパスワード入力画面の一例を示すイメージ図である。
【図６】本実施形態におけるＰＯＳ端末が表示するログイン後画面の一例を示すイメージ図である。
【図７】本実施形態におけるＰＯＳ端末へのログイン方法を説明するための図である。
【図８】本実施形態におけるＰＯＳ端末が表示するログイン前画面の一例を示すイメージ図である。
【図９】本実施形態におけるＰＯＳ端末からのログアウト方法を説明するための図である。
【図１０】本実施形態におけるＰＯＳ端末にログインする操作者の交代方法を説明するための図である。
【図１１】本実施形態におけるＰＯＳ端末が実行するログイン判定処理の処理手順の一例を示すフローチャートである。
【図１２】本実施形態におけるＰＯＳ端末が実行するログアウト判定処理の処理手順の一例を示すフローチャートである。
【発明を実施するための形態】
【００１６】
以下、本発明の実施形態について図面を参照して説明する。図１は、本実施形態おける管理システム１の構成を示した概略図である。管理システム１は、例えば、飲食店や、スーパーマーケットや、商業施設などの店舗において使用される。本図に示すように、管理システム１は、ＰＯＳ端末１０と、識別タグ２０−１，２０−２，２０−３とを備える。なお、以降の説明にあたり、識別タグ２０−１，２０−２，２０−３について特に区別しない場合には、識別タグ２０と記載する。ＰＯＳ端末１０と識別タグ２０とは、数メートル程度の通信距離により、非接触（無線）による通信を行う。
【００１７】
なお、同図に示した管理システム１の構成は一例である。例えば、管理システム１の構成として、２台以上のＰＯＳ端末１０を含む構成としてもよいし、２個以下または４個以上の識別タグ２０を含む構成としてもよい。
【００１８】
識別タグ２０は、ＰＯＳ端末１０を操作する操作者それぞれが所持する、ＵＨＦ（Ｕｌｔｒａ  Ｈｉｇｈ  Ｆｒｅｑｕｅｎｃｙ）帯域のＲＦＩＤ（Ｒａｄｉｏ  Ｆｒｅｑｕｅｎｃｙ  ＩＤｄｅｎｔｉｆｉｅｒ）のタグである。識別タグ２０は、例えば操作者が胸の辺りで衣服に付ける名札に備えられればよい。識別タグ２０は、対応する操作者を特定する識別情報を記憶している。識別タグ２０は、通信相手となったＰＯＳレジスタ２０に対して、自己が記憶する識別情報を送信する。
【００１９】
ＰＯＳ端末１０は、店舗において顧客の購入商品の登録および精算を行うための装置である。ＰＯＳ端末１０は、識別タグ２０との通信状態に応じて、識別タグ２０から受信した識別情報が特定する操作者のログイン又はログアウトに関する処理を実行する。ログイン又はログアウトに関する処理の詳細は後述する。
【００２０】
以下、本実施形態によるＰＯＳ端末１０について説明する。図２は、本実施形態におけるＰＯＳ端末１０の外観例を示す外観構成図である。図２（Ａ）は正面図であり、図２（Ｂ）は斜視図である。図３は、本実施形態におけるＰＯＳ端末１０のハードウェア構成例を示すブロック図である。
【００２１】
ＰＯＳ端末１０は、ＣＰＵ１０１と、ＲＯＭ１０２と、ＲＡＭ１０３と、スキャナ部１０４と、店員用表示部１０５と、客用表示部１０６と、ハードディスク１０７と、キー操作部１０８と、計量部１０９と、印字部１１０と、近距離通信部１１２とを備える。これらは、バス１１９を介して互いに接続されている。
【００２２】
ＣＰＵ１０１は、プログラムを実行することにより、ＰＯＳ端末１０としての機能実現のための各種処理を実行する。
ＲＯＭ１０２は、種々の情報を記憶する。例えば、ＣＰＵ１０１が実行するプログラムを記憶する。また、ＲＯＭ１０２は、店員用表示部１０５や客用表示部１０６による表示に関する情報（画面情報、メッセージ情報等）を記憶する。また、ＲＯＭ１０２は、自装置を識別させるための装置番号（装置識別子）を記憶する。また、ＲＯＭ１０２は、印字部１１０による印字に関する情報（印字内容、印字フォーマット情報等）を記憶してもよい。
ＲＡＭ１０３は、ＣＰＵ１０１が処理、演算を実行するにあたっての作業領域として利用される。
【００２３】
スキャナ部１０４は、コード化された情報を光学的に読み取る。例えば、スキャナ部１０４は、客からは見えにくい位置に設置されている。
【００２４】
店員用表示部１０５は、操作者（店員）側に向けて配置される。店員用表示部１０５は、タッチパネルとして構成され、表示された操作画面に対して指などの操作体が画面に触れることによる操作を受け付ける。
【００２５】
客用表示部１０６は、客側に向けて配置され、客向けの表示を行う。なお、客用表示部１０６は、客による操作が可能なようにタッチパネルとして構成されてもよい。
【００２６】
ハードディスク１０７は、ＣＰＵ１０１の補助記憶装置としてＰＯＳ端末１０に必要な各種の情報を記憶する。ハードディスク１０７は、例えば商品ファイル等を記憶してもよい。ハードディスク１０７は、登録処理等をＣＰＵ１０１に実行させるためのプログラムを記憶してもよい。また、ハードディスク１０７は、プログラムが実行されることによって生成される種々の情報を記憶してもよい。また、ハードディスク１０７は、店員用表示部１０５や客用表示部１０６による表示に関する情報や、印字部１１０による印字に関する情報を記憶してもよい。なお、ハードディスク１０７に代えて、ＳＳＤ（Ｓｏｌｉｄ  Ｓｔａｔｅ  Ｄｒｉｖｅ）が備えられてもよい。
【００２７】
キー操作部１０８は、操作者からの種々の操作を受け付けるための各種の操作キー（置数キー、取消キー、風袋キー、追加キー、品番キー、実行キー等）を備える。
【００２８】
計量部１０９は、秤台に置かれた商品等（商品及び該商品を入れた風袋）の重量を計量し、計量値を示したデータをＣＰＵ１０１に出力する。なお、計量部１０９から計量値を取得したＣＰＵ１０１は、計量値から所定の重量（風袋の重量）を減算して、秤台に置かれた商品を算出する。また、ＣＰＵ１０１は、上述の如く算出した商品の重量をＲＡＭ１０３に一時記憶するとともに、表示部（店員用表示部１０５、客用表示部１０６）に表示させる。
【００２９】
印字部１１０は、記録媒体に印字（印刷）し、発行口から発行（出力）する。例えば印字部１１０は、商品に貼り付けるラベルを発行することができる。
【００３０】
近距離通信部１１２は、識別タグ２０と非接触による近距離通信を行う。近距離通信部１１２は、通信している識別タグ２０から識別情報を受信することにより、識別タグ２０の記憶する識別情報が読み取り範囲内にあることを非接触で検出する検出手段を構成する。
【００３１】
次に、ＰＯＳ端末１０の店員用表示部１０５が表示する表示画面について説明する。図４は、本実施形態におけるＰＯＳ端末１０が表示するログイン前画面３００の一例を示すイメージ図である。ログイン前画面３００は、ログアウト処理後に表示される画面である。図示するように、ログイン前画面３００には、各操作者を示すアイコン３０１−１〜３０１−６が表示される。なお、アイコン３０１−１〜３０１−６について特に区別しない場合には、アイコン３０１と記載する。ＰＯＳ端末１０は、ログイン前画面３００に表示しているアイコン３０１のうちいずれかが選択入力を受け付けると、パスワード入力画面４００を表示する。
【００３２】
図５は、本実施形態におけるＰＯＳ端末１０が表示するパスワード入力画面４００の一例を示すイメージ図である。図示するように、パスワード入力画面４００には、パスワードを入力するためのボックス及びテンキーが表示される。ＰＯＳ端末１０は、パスワード入力画面４００においてパスワードの入力を受け付ける。ＰＯＳ端末１０は、パスワード入力画面４００において入力されたパスワードに基づいて認証し、認証ＯＫである場合に、ログイン前画面３００において選択されたアイコン３０１が示す操作者のログイン処理を実行する。そして、ＰＯＳ端末１０は、ログイン後画面５００を表示する。
【００３３】
図６は、本実施形態におけるＰＯＳ端末１０が表示するログイン後画面５００の一例を示すイメージ図である。ログイン後画面５００は、ログイン処理後に表示される画面である。図示するように、ログイン後画面５００には、ログアウトするためのログアウトボタン５０１と、ログインした操作者「アルバイト」５０２とが表示される。また、ログイン後画面５００には、ＰＯＳ端末１０を操作するための各種アイコン（例えば、各メニューを示すアイコン等）が表示される。また、ログインした権限に応じてログイン後画面５００に表示される或いは利用できるアイコンが異なる。
【００３４】
続いて、管理システム１におけるＰＯＳ端末１０へのログイン方法について説明する。まず、ログイン前画面３００に表示されたアイコン３０１を選択し、パスワード入力画面４００によりパスワードを入力することによりログインする手動ログインについて説明する。ＰＯＳ端末１０のＣＰＵ１０１は、誰もログインしていない状態のときには、店員用表示部１０５にログイン前画面３００を表示する。そして、ＣＰＵ１０１は、ログイン前画面３００に表示しているアイコン３０１のうちいずれかが選択入力を受け付けると、パスワード入力画面４００を表示する。そして、ＣＰＵ１０１は、パスワード入力画面４００において入力されたパスワードが、ログイン前画面３００において選択されたアイコン３０１が示す操作者のものである場合には認証ＯＫとし、そうでない場合には認証ＮＧとする。ＣＰＵ１０１は、認証ＯＫである場合に、選択されたアイコン３０１が示す操作者のログイン処理を実行してログイン後画面５００を店員用表示部１０５に表示する。
【００３５】
続いて、識別タグ２０を用いて、識別情報に基づいて操作者のログイン処理を自動的に行う自動ログインについて説明する。図７は、本実施形態におけるＰＯＳ端末１０へのログイン方法を説明するための図である。ＰＯＳ端末１０のＣＰＵ１０１は、誰もログインしていない状態のときには、店員用表示部１０５にログイン前画面３００を表示する。そして、ＣＰＵ１０１（ログイン手段）は、近距離通信部１１２が１つの識別情報のみを所定の設定時間（例えば、２秒）以上検出し続けた場合に、当該識別情報が特定する操作者（図示する例では「アルバイト」）のログイン処理を実行し、ログイン後画面５００を店員用表示部１０５に表示する。これにより、操作者は、ＰＯＳ端末１０に近づくだけで自動的にＰＯＳ端末１０にログインすることができる。よって、ログインするためのパスワードを入力する手間が省けて、操作者の利便性が向上する。
【００３６】
続いて、ＰＯＳ端末１０が複数の識別情報を同時に検出した場合のログイン方法について説明する。図８は、本実施形態におけるＰＯＳ端末１０が表示するログイン前画面３００の一例を示すイメージ図である。本図には、近距離通信部１１２が複数の識別情報を検出した場合の表示例を示す。
【００３７】
ＰＯＳ端末１０のＣＰＵ１０１（表示手段）は、近距離通信部１１２が複数の識別情報を同時に検出した場合には、検出した複数の識別情報それぞれに対応するボタン３１０−１〜３１０−３をログイン前画面３００に選択可能に表示する。各ボタン３１０−１〜３１０−３には、それぞれ対応する操作者の名称が表示されている。図示する例では、ボタン３１０−１には「アルバイト」が表示され、ボタン３１０−２には「店員３」が表示され、ボタン３１０−３には「店員１」が表示されている。なお、ボタン３１０−１〜３１０−３について特に区別しない場合には、ボタン３１０と記載する。なお、ＣＰＵ１０１は、複数人のボタン３１０を表示する場合には、例えば権限の強い操作者から順にボタン３１０を表示したり、電波強度（近い、遠い）の強い順にボタン３１０を表示したりしてもよい。
【００３８】
ログインする操作者は、自身の名称が表示されたボタン３１０を選択する。ＣＰＵ１０１は、表示したボタン３１０のうちいずれかが選択入力を受け付けると、選択入力を受け付けたボタン３１０に対応する操作者のログイン処理を実行し、ログイン後画面５００を店員用表示部１０５に表示する。
【００３９】
このように、ＣＰＵ１０１は、複数の操作者が近くにいる場合には、各操作者それぞれに対応するボタン３１０を選択可能に表示し、選択されたボタン３１０に対応する操作者のログイン処理を実行する。すなわち、ＣＰＵ１０１（第１の禁止手段）は、複数の識別情報を検出した場合には、自動ログインによるログイン処理を禁止する。これにより、複数の操作者が同時にログインすることを防ぐことができる。すなわち、ログインする操作者を一人にすることができる。また、複数の操作者がＰＯＳ端末１０の近くにいる場合であっても、操作者はボタン３１０を選択するだけでログインすることができるため、パスワードを入力する手間が省けて利便性が向上する。
【００４０】
続いて、管理システム１におけるＰＯＳ端末１０からのログアウト方法について説明する。まず、識別タグ２０を用いて、識別情報に基づいて操作者のログアウト処理を自動的に行う自動ログアウトについて説明する。ＰＯＳ端末１０のＣＰＵ１０１（第１のログアウト手段）は、所定時間（例えば、１分）以上操作入力を受け付けておらず、かつ、検出していた（ログインしている操作者の）識別情報が検出されなくなると、当該識別情報に対応する操作者のログアウト処理を実行し、ログイン前画面３００を店員用表示部１０５に表示する。これにより、操作者は、ＰＯＳ端末１０から離れるだけで、自動的にＰＯＳ端末１０からログアウトすることができる。よって、ログアウトボタン５０１を押下する手間が省けて、操作者の利便性が向上する。
【００４１】
続いて、ログイン後画面５００に表示されたログアウトボタン５０１を押下することによりログアウトする手動ログアウトについて説明する。図９は、本実施形態におけるＰＯＳ端末１０からのログアウト方法を説明するための図である。ＰＯＳ端末１０のＣＰＵ１０１（第２のログアウト手段）は、ログインしている操作者（図示する例では「アルバイト」）の識別情報が検出されたままであっても、ログイン後画面５００においてログアウトボタン５０１が入力を受け付けると、当該操作者のログアウト処理を実行し、ログイン前画面３００を店員用表示部１０５に表示する。
【００４２】
なお、ＣＰＵ１０１（第２の禁止手段）は、手動ログアウトによるログアウト処理後は、当該ログアウト処理を行った操作者の識別情報を設定時間以上検出し続けている場合であっても、当該操作者の自動ログインを実行しない（自動ログインによるログイン処理を禁止する）。ＣＰＵ１０１は、手動ログアウトによるログアウト処理後に、当該操作者の識別情報を設定時間以上検出し続けている場合には、当該操作者に対応するアイコン３１０をログイン前画面３００に表示する。そして、ＣＰＵ１０１は、表示されたアイコン３１０が入力を受け付けると、当該操作者のログイン処理を実行する。すなわち、ＰＯＳ端末１０は、手動ログアウトによりログアウト処理をした場合には、直前にログアウトした操作者の自動ログインを禁止する。これにより、手動ログアウトした操作者が、ＰＯＳ端末１０の近くにいることにより自動的に再度ログインしてしまうことを防ぐことができる。
【００４３】
続いて、ＰＯＳ端末１０の操作者が交代する場合の動作について説明する。図１０は、本実施形態におけるＰＯＳ端末１０にログインする操作者の交代方法を説明するための図である。ＰＯＳ端末１０のＣＰＵ１０１（交代手段）は、ログインしている操作者が手動ログアウトまたは自動ログアウトによりログアウト処理した際に、近距離通信部１１２が当該ログアウトする識別情報とは異なる他の操作者に対応する識別情報を設定時間以上検出し続けている場合には、自動ログインにより当該他の操作者のログイン処理を実行する（交代処理）。図示する例では、ログインしているアルバイトがＰＯＳ端末１０から離れて自動ログアウトし、店員１がＰＯＳ端末１０に近づいて自動ログインしている。
【００４４】
このように、操作者が交代する場合には、一人目のログアウト処理と二人目のログイン処理は略同時に実行される。このため、ＣＰＵ１０１（表示手段）は、交代処理をした際には、ログイン前画面３００に戻ることなく、ログイン後画面５００の表示を維持し続ける。すなわち、ログイン前画面３００に戻らずに、ログイン者の切り替えができるため、不要な画面遷移をなくすことができ、すばやい交代を実現している。また、ＣＰＵ１０１（表示手段）は、交代処理をした際には、ログイン後画面５００に表示されているバー５１０を赤く点滅させることにより、操作者が交代したこと（交代処理が行われたこと）を報知する。これにより、操作者は、ログインしている操作者が交代したことを知ることができる。なお、ＣＰＵ１０１は、例えば、店員１から店員２への交代処理の際に、店員１が商品登録を途中まで実施していた場合、「登録途中の商品があります」などのエラーを報知することで、交代を禁止してもよい。また、ＣＰＵ１０１は、当該エラーを了承する旨を入力することで、店員１が登録した商品を店員２に引き継ぐ処理を実行してもよい。
【００４５】
続いて、閉店処理後のログインについて説明する。通常、ＰＯＳ端末１０では、店舗の閉店時等に閉店処理が実行される。閉店処理後は開店処理（翌日の利用開始）までＰＯＳ端末１０を操作することはない。これは、開店処理及び閉店処理により営業時間を区切ることにより、営業日ごとの売り上げを集計することを可能にするためである。このため、閉店処理後にログイン処理が実行されると、当該ログイン処理が開店処理となってしまい、正しい売り上げ集計を阻害する可能性がある。これを防止するために、ＰＯＳ端末１０のＣＰＵ１０１（禁止手段）は、閉店処理をするための所定の操作の後は、自動ログインを禁止する。これにより、誤って開店処理が実行されることを未然に防ぐことができる。すなわち、ＣＰＵ１０１は、閉店処理をするための所定の操作後は、近距離通信部１１２が識別情報を検出した場合であっても、自動ログインによるログイン処理を実行しない。つまり、ＣＰＵ１０１は、閉店処理をするための所定の操作後は、手動ログインによるログイン処理のみを実行する。
【００４６】
続いて、本実施形態における管理システム１の動作について説明する。図１１は、本実施形態におけるＰＯＳ端末１０が実行するログイン判定処理の処理手順の一例を示すフローチャートである。ＰＯＳ端末１０は、操作者がログインしていないとき、すなわち、ログイン前画面３００を表示しているときに、本図に示す処理を実行する。
【００４７】
（ステップＳ１０１）ＣＰＵ１０１は、近距離通信部１１２が識別情報を検出したか否かを判定する。識別情報を検出したとＣＰＵ１０１が判定した場合には、ステップＳ１０２の処理に進む。また、識別情報を検出していないとＣＰＵ１０１が判定した場合には、ステップＳ１２１の処理に進む。
【００４８】
（ステップＳ１０２）ＣＰＵ１０１は、検出した識別情報が複数であるか否かを判定する。検出した識別情報が複数であるとＣＰＵ１０１が判定した場合には、ステップＳ１１１の処理に進む。また、検出した識別情報が１つであるとＣＰＵ１０１が判定した場合には、ステップＳ１０３の処理に進む。
（ステップＳ１０３）ＣＰＵ１０１は、検出した識別情報が特定する操作者のログイン処理を実行する。その後、ステップＳ１３０の処理に進む。
【００４９】
（ステップＳ１１１）ＣＰＵ１０１は、検出した複数の識別情報それぞれに対応する操作者のボタン３１０を選択可能にログイン前画面３００に表示する。その後、ステップＳ１１２の処理に進む。
【００５０】
（ステップＳ１１２）ＣＰＵ１０１は、ボタン３１０のうちいずれかが選択入力を受け付けたか否かを判定する。選択入力を受け付けたとＣＰＵ１０１が判定した場合には、ステップＳ１１３の処理に進む。また、選択入力を受け付けていないとＣＰＵ１０１が判定した場合には、ステップＳ１０１の処理に戻る。
（ステップＳ１１３）ＣＰＵ１０１は、選択入力を受け付けたボタン３１０が特定する操作者のログイン処理を実行する。その後、ステップＳ１３０の処理に進む。
【００５１】
（ステップＳ１２１）ＣＰＵ１０１は、ログイン前画面３００に表示されているアイコン３０１のうちいずれかが選択入力を受け付けたか否かを判定する。選択入力を受け付けたとＣＰＵ１０１が判定した場合には、ステップＳ１２２の処理に進む。また、選択入力を受け付けていないとＣＰＵ１０１が判定した場合には、ステップＳ１０１の処理に戻る。
【００５２】
（ステップＳ１２２）ＣＰＵ１０１は、パスワード入力画面４００を店員用表示部１０５に表示し、パスワードの入力を受け付ける。その後、ステップＳ１２３の処理に進む。
【００５３】
（ステップＳ１２３）ＣＰＵ１０１は、パスワード入力画面４００において入力されたパスワードの認証結果が認証ＯＫであるか否かを判定する。認証ＯＫであるとＣＰＵ１０１が判定した場合には、ステップＳ１２４の処理に進む。また、認証ＮＧであるとＣＰＵ１０１が判定した場合には、ログイン前画面３００を店員用表示部１０５に表示してステップＳ１０１の処理に戻る。
【００５４】
（ステップＳ１２４）ＣＰＵ１０１は、ログイン前画面３００において選択入力を受け付けたアイコン３０１が特定する使用者のログイン処理を実行する。その後、ステップＳ１３０の処理に進む。
【００５５】
（ステップＳ１３０）ＣＰＵ１０１は、ログイン後画面５００を店員用表示部１０５に表示する。その後、処理を終了する。
【００５６】
図１２は、本実施形態におけるＰＯＳ端末１０が実行するログアウト判定処理の処理手順の一例を示すフローチャートである。ＰＯＳ端末１０は、操作者がログインしているとき、すなわち、ログイン後画面５００を表示しているときに、本図に示す処理を実行する。
【００５７】
（ステップＳ２０１）ＣＰＵ１０１は、所定時間以上入力を受け付けていない（操作無しである）か否かを判定する。所定時間操作無しであるとＣＰＵ１０１が判定した場合には、ステップＳ２０２の処理に進む。また、所定時間以内に操作があったとＣＰＵ１０１が判定した場合には、ステップＳ２１１の処理に進む。
【００５８】
（ステップＳ２０２）ＣＰＵ１０１は、ログインしている操作者を特定する識別情報を近距離通信部１１２が検出していない（非検出である）か否かを判定する。非検出であるとＣＰＵ１０１が判定した場合には、ステップＳ２０３の処理に進む。また、検出しているとＣＰＵ１０１が判定した場合には、ステップＳ２０１の処理に戻る。
【００５９】
（ステップＳ２０３）ＣＰＵ１０１は、ログインしている操作者のログアウト処理を実行する。その後、ステップＳ２２０の処理に進む。
【００６０】
（ステップＳ２１１）ＣＰＵ１０１は、ログイン後画面５００に表示しているログアウトボタン５０１が押下され、入力を受け付けたか否かを判定する。ログアウトボタン５０１が入力を受け付けたとＣＰＵ１０１が判定した場合には、ステップＳ２１２の処理に進む。また、ログアウトボタン５０１が入力を受け付けていないとＣＰＵ１０１が判定した場合には、ステップＳ２０１の処理に戻る。
【００６１】
（ステップＳ２１２）ＣＰＵ１０１は、ログインしている操作者のログアウト処理を実行する。その後、ステップＳ２２０の処理に進む。
【００６２】
（ステップＳ２２０）ＣＰＵ１０１は、近距離通信部１１２が、ログアウト処理をした操作者の識別情報と異なる他の識別情報を検出したか否かを判定する。他の識別情報を検出したとＣＰＵ１０１が判定した場合には、ステップＳ２２１の処理に進む。また、他の識別情報を検出していないとＣＰＵ１０１が判定した場合には、ステップＳ２２２の処理に進む。
【００６３】
（ステップＳ２２１）ＣＰＵ１０１は、ログイン後画面５００の表示を維持したまま、検出した他の識別情報が特定する操作者のログイン処理を実行する。その後、ステップＳ２０１の処理に戻る。
【００６４】
（ステップＳ２２２）ＣＰＵ１０１は、ログイン前画面３００を店員用表示部１０５に表示する。その後、処理を終了する。
【００６５】
以上説明したように、本実施形態の管理システム１は、ＰＯＳ端末１０と、識別タグ２０とを備える。識別タグ２０は、操作者を特定する識別情報を記憶する記憶手段と、記憶手段が記憶する識別情報を非接触による通信で送信する送信手段とを備える。ＰＯＳ端末１０は、識別タグ２０から識別情報を非接触による通信で受信することにより、識別情報が読み取り範囲内にあることを非接触で検出する近距離通信部１１２と、識別情報に基づいて操作者のログイン処理を行うログイン手段と、ログインした操作者の識別情報が検出されなくなると操作者のログアウト処理を行う第１のログアウト手段と、ログインした操作者の識別情報が検出されたまま操作者のログアウト処理を行う第２のログアウト手段と、を備える。
【００６６】
上記構成によれば、ログイン・ログアウトの方法を複数備えることで、複数人での利用であってもセキュリティ性を保ちつつ利便性を向上させることができる。
【００６７】
また、ＰＯＳ端末１０は、近距離通信部１１２が複数の識別情報を検出すると、ログイン手段によるログイン処理を禁止する第１の禁止手段、を備える。これにより、複数の操作者が同時にログインすることを防ぎ、ログインする操作者を一人にすることができる。また、ＰＯＳ端末１０の近くに複数の操作者がいる場合に、ＰＯＳ端末１０を操作しない操作者が誤ってログインすることを防ぐことができる。
【００６８】
第２のログアウト手段によるログアウト処理後は、当該ログアウト処理を行った操作者のログイン手段によるログイン処理を禁止する第２の禁止手段を備える。これにより、手動によりログアウトをした操作者がＰＯＳ端末１０の近くにいるために、自動的に再度ログインしてしまうことを防ぐことができる。
【００６９】
禁止手段は、閉店処理に関する所定の操作の際に、ログイン手段によるログイン処理を禁止する。これにより、閉店処理後に、操作者がＰＯＳ端末１０の近くにいるために自動的にログインしてしまうことを防ぐことができる。すなわち、開店処理が誤って実行されることを防ぐことができる。
【００７０】
ＰＯＳ端末１０は、ログアウト処理の際に、近距離通信部１１２が当該ログアウトする識別情報とは異なる他の識別情報を検出していると、当該他の識別情報で特定する操作者をログイン手段がログインさせる交代手段、を備える。これにより、ログインする操作者を自動的に交代させることができる。
【００７１】
ログアウト処理後に表示されるログイン前画面３００と、ログイン処理後に表示されるログイン後画面５００と、を表示する表示手段を備え、表示手段は、ログイン後画面５００において、交代処理が行われたことを表示する、ことを特徴とする。これにより、操作者は、ログインしている操作者が交代したことを知ることができる。
【００７２】
表示手段は、交代処理の際にログイン後画面５００を維持する。これにより、交代処理の際にログイン前画面３００に戻ることを防ぐことができる。
【００７３】
近距離通信部１１２が複数の識別情報を検出すると、表示手段は、当該複数の識別情報を示すボタン３１０をログイン前画面３００に選択可能に表示する。これにより、複数の操作者がＰＯＳ端末１０の近くにいる場合であっても、ボタン３１０を選択することによりログインすることができるため、パスワードを入力する手間を省くことができる。
【００７４】
また、ＵＨＦ帯域のＲＦＩＤを用いているため、非接触でデータの読込み及び書き込みができる。また、複数のタグデータが同時に読み込みできる。また、識別タグに個別の識別情報が設定されているため、セキュリティ性に優れている。また、数ｃｍ〜数ｍの伝送距離の設定が可能である。また、リーダに指向性をつけることが可能である。
【００７５】
以上、この発明の実施形態について図面を参照して詳述してきたが、具体的な構成はこの実施形態に限られるものではなく、この発明の要旨を逸脱しない範囲の設計等も含まれる。
【００７６】
例えば、上述した実施形態では、ＰＯＳ端末１０にログイン・ログアウトする場合について説明したが、これに限らず、ログイン・ログアウトする装置は複数人で使用するものであれば他の装置であってもよい。例えば、パーソナルコンピュータや、プリンタや、工業機械など、ログイン・ログアウトが利用される装置であればよい。また、管理システム１は、装置単体で構成されるものであってもよい。
【００７７】
なお、上述のＰＯＳ端末１０又は識別タグ２０としての機能を実現するためのプログラムをコンピュータ読み取り可能な記録媒体に記録して、この記録媒体に記録されたプログラムをコンピュータシステムに読み込ませ、実行することにより上述のＰＯＳ端末１０又は識別タグ２０としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００７８】
１  管理システム、１０  ＰＯＳ端末、２０  識別タグ、１０１  ＣＰＵ、１０２  ＲＯＭ、１０３  ＲＡＭ、１０４  スキャナ部、１０５  店員用表示部、１０６  客用表示部、１０７  ハードディスク、１０８  キー操作部、１０９  計量部、１１０  印字部、１１２  近距離通信部、１１９  バス
【図１】
2018092500.tif 000003
【図２】
2018092500.tif 000004
【図３】
2018092500.tif 000005
【図４】
2018092500.tif 000006
【図５】
2018092500.tif 000007
【図６】
2018092500.tif 000008
【図７】
2018092500.tif 000009
【図８】
2018092500.tif 000010
【図９】
2018092500.tif 000011
【図１０】
2018092500.tif 000012
【図１１】
2018092500.tif 000013
【図１２】
2018092500.tif 000014